(57)【要約】【課題】  小さな表示領域内でより詳細かつ適切に装置状態の表示を行う。【解決手段】  コピー機能、ファクシミリ機能、ならびにプリンタ機能を含む複数の機能を選択的に実行することが可能な複合機１であって、前記複数の機能のうちのが実行される機能を判定する機能判定手段１１と、実行中の前記機能に関する実行状態を判定する状態判定手段１１と、前記機能判定手段１１により判定された前記機能に応じたマークを表示するマーク表示手段１１，２５と、前記状態判定手段１１により判定された前記実行状態を示す文字メッセージを表示するメッセージ表示手段１１，２５とを備える。【選択図】      図１
2010283841.tif 000002
【特許請求の範囲】
【請求項１】
コピー機能、ファクシミリ機能、ならびにプリンタ機能を含む複数の機能を選択的に実行することが可能な複合機において、
前記複数の機能のうちのが実行される機能を判定する機能判定手段と、
実行中の前記機能に関する実行状態を判定する状態判定手段と、
前記機能判定手段により判定された前記機能に応じたマークを表示するマーク表示手段と、
前記状態判定手段により判定された前記実行状態を示す文字メッセージを表示するメッセージ表示手段とを具備した複合機。
【請求項２】
前記文字メッセージは、前記複数の機能のうち少なくとも２つの機能において共通して表示される文字メッセージを含むことを特徴とする請求項１に記載の複合機。
【請求項３】
前記機器に障害が発生したか否かを確認する確認手段をさらに備え、前記障害が発生したことが前記確認手段により確認された場合、
前記状態判定手段は前記障害の内容を判定し、
前記マーク表示手段は前記機能判定手段により判定された前記機能に応じたマークに加えて前記障害が発生していることを表すマークを表示し、
前記メッセージ表示手段は前記状態判定手段により判定された前記障害の内容を示す文字メッセージを表示する請求項１に記載の複合機。
【請求項４】
前記障害が発生している部位を判定する部位判定手段をさらに備え、
前記マーク表示手段は、前記障害が発生してることを示すとともに前記部位判定手段により判定された部位に応じたマークを表示する請求項３に記載の複合機。
【請求項５】
前記マーク表示手段は、２以上の所定数のマークを表示可能であるとともに、前記部位判定手段により判定された部位に応じた１つまたは複数のマークを表示するものであり、かつ前記部位判定手段により判定された部位に応じたマークの数が前記所定数よりも少ないならば、障害発生前に前記判定手段により判定されていた機能に応じたマークを同時に表示する請求項４に記載の複合機。
【請求項６】
コピー機能、ファクシミリ機能、ならびにプリンタ機能を含む複数の機能を選択的に実行することが可能な複合機の制御方法であって、
前記複数の機能のうちの実行される機能を機能判定手段によって判定し、
実行中の前記機能に関する実行状態を状態判定手段によって判定し、
前記機能判定手段により判定した前記機能に応じたマークをマーク表示手段によって表示し、
前記状態判定手段により判定された前記実行状態を示す文字メッセージをメッセージ表示手段によって表示する複合機の制御方法。
【請求項７】
前記文字メッセージは、前記複数の機能のうち少なくとも２つの機能において共通して表示される文字メッセージを含む請求項６に記載の複合機の制御方法。
【請求項８】
前記機器に障害が発生したか否かを確認手段によって確認し、前記障害が発生したことが前記確認手段により確認された場合、
前記障害の内容を前記状態判定手段によって判定し、
前記機能判定手段により判定された前記機能に応じたマークに加えて障害が発生していることを表すマークを前記マーク表示手段によって表示し、
前記状態判定手段により判定された前記障害の内容を示す文字メッセージを前記メッセージ表示手段によって表示する請求項６に記載の複合機の制御方法。
【発明の詳細な説明】
【技術分野】
【０００１】
本発明は、例えば複合機（ＭＦＰ：Multi Function Product）と、このような複合機を制御する方法とに関する。
【背景技術】
【０００２】
ＭＦＰでは、ＬＣＤなどの表示器を備えて、この表示器で装置状態を示すメッセージの表示を行っている。
【０００３】
このような表示器は、実装スペースやコストの制限から大きさに限りがあり、従って一度に表示することができるメッセージの長さも限られている。このため、表示器に表示し切れるような短いメッセージを用意し、これを表示するようにしている。
【発明の概要】
【発明が解決しようとする課題】
【０００４】
ところが、このような短いメッセージでは、装置状態を適切に表現することが困難であるため、装置状態をユーザに適切に報知することができていない。
【０００５】
例えば、印刷動作を行っている際には「Printing」などのメッセージを表示するが、ＭＦＰの場合は印刷動作は、コピー機能、ＦＡＸ機能およびプリンタ機能などの複数の機能で行われるものであるので、表示からだけではどの機能における印刷動作が行われているのかをユーザが知ることができない。
【０００６】
また、障害が発生した際には「Memory Error」などのメッセージを表示するが、本体のメモリの他にオプションのメモリが装着されているような場合には、どのメモリにエラーが生じているのかをユーザが知ることができない。
【０００７】
本発明はこのような事情を考慮してなされたものであり、その目的とするところは、小さな表示領域内でより詳細かつ適切に装置状態の表示を行うことにある。
【課題を解決するための手段】
【０００８】
実施形態の複合機は、コピー機能、ファクシミリ機能、ならびにプリンタ機能を含む複数の機能を選択的に実行することが可能な複合機であって、前記複数の機能のうちの実行される機能を判定する機能判定手段と、実行中の前記機能に関する実行状態を判定する状態判定手段と、前記機能判定手段により判定された前記機能に応じたマークを表示するマーク表示手段と、前記状態判定手段により判定された前記実行状態を示す文字メッセージを表示するメッセージ表示手段とを備える。
【図面の簡単な説明】
【０００９】
【図１】本発明の一実施形態に係るディジタル複合機の要部構成を示すブロック図。
【図２】図１中の表示部の表示面の一例を示す図。
【図３】図１中のＣＰＵによる装置状態表示処理の際の処理手順を示すフローチャート。
【図４】機能とマークとの対応付けの一例を示す図。
【図５】機能の実行状態とメッセージとの対応付けの一例を示す図。
【図６】具体的な表示例を示す図。
【図７】障害箇所とマークとの対応付けの一例を示す図。
【図８】障害内容とメッセージとの対応付けの一例を示す図。
【図９】具体的な表示例を示す図。
【図１０】具体的な表示例を示す図。
【発明を実施するための形態】
【００１０】
以下実施の形態の一例を図面を用いて説明する。
【００１１】
図１は本実施形態に係るディジタル複合機の要部構成を示すブロック図である。
【００１２】
この図において、符号１を付して示される部分が本実施形態のディジタル複合機である。そしてこのディジタル複合機１は、ＣＰＵ１１、ＲＯＭ１２、ＲＡＭ１３、情報記憶部１４、画像記憶部１５、符号化・復号化部１６、画像読取部１７、画像印刷部１８、モデム１９、ＮＣＵ２０、電話機制御部２１、回線信号検出部２２、ＬＡＮインタフェース２３、操作部２４および表示部２５を有してなる。
【００１３】
そして、ＣＰＵ１１、ＲＯＭ１２、ＲＡＭ１３、情報記憶部１４、画像記憶部１５、符号化・復号化部１６、画像読取部１７、画像印刷部１８、モデム１９、ＮＣＵ２０、回線信号検出部２２、ＬＡＮインタフェース２３、操作部２４および表示部２５は、システムバス２６を介して互いに接続されている。またＮＣＵ２０にはモデム１９および電話機制御部２１が、さらに電話機制御部２１には回線信号検出部２２がそれぞれ接続されている。
【００１４】
ＣＰＵ１１は、ＲＯＭ１２に格納された制御プログラムに基づいて各部を総括制御するための制御処理を行うことでディジタル複合機としての動作を実現する。
【００１５】
ＲＯＭ１２は、ＣＰＵ１１の制御プログラム等を記憶する。
【００１６】
ＲＡＭ１３は、ＣＰＵ１１が各種の処理を行うために必要となる各種の情報を記憶するためのワークエリアなどとして使用される。
【００１７】
情報記憶部１４は、例えばフラッシュメモリなどを用いてなり、各種の設定情報やその他の情報を記憶しておく。
【００１８】
画像記憶部１５は、例えば大容量のＤＲＡＭや、ハードディスク装置などを用いてなり、受信した画像データや送信待ちの画像データを一時的に記憶しておく。
【００１９】
符号化・復号化部１６は、画像データに対して冗長度圧縮のための符号化処理を施すとともに、冗長度圧縮のための符号化がなされている画像データの復号を行うものである。
【００２０】
画像読取部１７は、送信原稿の読取りを行って、その送信原稿を示す画像データを生成する。
【００２１】
画像印刷部１８は、画像データが示す画像を記録用紙に対して印字する。
【００２２】
モデム１９は、画像データを変調してファクシミリ伝送信号を生成したり、ＣＰＵ１１から与えられるコマンドを変調してコマンド伝送信号を生成するものであり、これらの伝送信号をＮＣＵ２０を介してＰＳＴＮ加入者線２へと送出する。またモデム１９は、ＰＳＴＮ加入者線２を介して到来し、ＮＣＵ２０を介して与えられたファクシミリ伝送データを復調して画像データを再生したり、コマンド伝送信号を復調してコマンドを再生する。
【００２３】
ＮＣＵ２０には、ＰＳＴＮ３に収容されたＰＳＴＮ加入者線２が接続されている。そしてＮＣＵ２０は、この接続されたＰＳＴＮ加入者線２に関して、状態監視や網への発信処理などを行なう。またＮＣＵ２０は、ＰＳＴＮ加入者線２に対して送出するファクシミリ伝送信号の等化を図るとともに、レベルの設定を行う。
【００２４】
電話機制御部２１には、必要に応じて外部電話機４が接続される。そして電話機制御部２１は、接続された外部電話機４を使用してＰＳＴＮ加入者線２を介しての通話を行うことを可能とするための周知の制御処理を行う。
【００２５】
回線信号検出部２２は、ＰＳＴＮ加入者線２を介して到来する信号をＮＣＵ２０および電話機制御部２１を介して受け、所定の信号の到来を検出する。
【００２６】
ＬＡＮインタフェース２３には、ＬＡＮ回線５およびメールサーバ６を介してインターネット７が接続されている。そしてＬＡＮインタフェース２３は、ＬＡＮ回線５を介して、あるいはインターネット７を介してのデータ伝送を行う。
【００２７】
操作部２４は、例えば複数のキースイッチを備えてなり、ユーザによるＣＰＵ１１に対する各種の指示入力を受け付ける。
【００２８】
表示部２５は、例えばＬＣＤを用いてなり、ユーザに対して報知すべき各種の情報をＣＰＵ１１の制御の下に表示する。この表示部２５の表示面の一例を図２に示す。この図２に示すように表示部２５の表示面内には、マーク表示エリア２５ａおよびメッセージ表示エリア２５ｂがそれぞれ設定されている。
【００２９】
さて、ＣＰＵ１１がＲＯＭ１２に格納された制御プログラムに基づいて動作することで実現される制御手段としては、ディジタル複合機における周知の一般的なものに加えて、項目判定手段、状態判定手段、マーク表示制御手段およびメッセージ表示制御手段を有している。
【００３０】
ここで項目判定手段は、ディジタル複合機１に障害が発生していないときには現在選択されている機能を、また障害が発生しているときにはその障害の発生箇所をそれぞれ判定する。
【００３１】
状態判定手段は、ディジタル複合機１に障害が発生していないときには現在選択されている機能の実行状態を、また障害が発生しているときにはその障害の内容をそれぞれ判定する。
【００３２】
マーク表示制御手段は、項目判定手段での判定結果に対応したマークをマーク表示エリア２５ａに表示させるべく表示部２５を制御する。かくして、このマーク表示制御手段および表示部２５によりマーク表示手段が実現されるものとなっている。
【００３３】
そしてメッセージ表示制御手段は、状態判定手段での判定結果に対応した文字メッセージをメッセージ表示エリア２５ｂに表示させるべく表示部２５を制御する。かくして、このメッセージ表示制御手段および表示部２５によりメッセージ表示手段が実現されるものとなっている。
【００３４】
次に以上のように構成されたディジタル複合機の動作につき説明する。なお、本実施形態のディジタル複写機は、コピー機能、ファクシミリ機能、ならびにプリンタ機能などの機能を有しているが、それらを実現するための動作は従来よりあるディジタル複合機と同様であるので説明を省略し、ここでは装置状態の表示に関する動作につき説明することとする。
【００３５】
ＣＰＵ１１は、所定の時間間隔毎などの所定タイミング毎に図３に示すような装置状態表示処理を繰り返し実行する。
【００３６】
この装置状態表示処理においてＣＰＵ１１はまず、ディジタル複合機１に障害が発生しているか否かを確認する（ステップＳＴ１）。
【００３７】
ここで障害が発生していないのならばＣＰＵ１１は、現在起動されている機能（以下、現機能と称する）およびその機能の現在の実行状態（以下、現実行状態と称する）を判定する（ステップＳＴ２）。そしてＣＰＵ１１は、ここで判定した現機能が表示中機能として設定されている機能と同一であるか否かを確認する（ステップＳＴ３）。
【００３８】
現機能が表示中機能と同一ではないならばＣＰＵ１１は、表示部２５のマーク表示エリア２５ａに表示するマーク（以下、表示マークと称する）を、現機能に対応するものに変更する（ステップＳＴ４）。なお、各機能とマークとの関係は例えば図４に示すように定めてこれを示す情報テーブルを情報記憶部１４に記憶させておき、ＣＰＵ１１はこの情報テーブルに基づいて現機能に対応するマークを判定する。またこれにともなってＣＰＵ１１は、次回以降の装置状態表示処理の際におけるステップＳＴ３での確認のために、表示中機能として現機能を設定する（ステップＳＴ５）。具体的には例えば、ＲＡＭ１３に表示中機能の記憶領域を設定しておき、ここに表示中機能として設定した機能を示す情報を格納する。
【００３９】
このようにしてステップＳＴ５にて表示中機能として現機能を設定したのち、あるいは現機能が表示中機能と同一であることをステップＳＴ３にて確認した場合にＣＰＵ１１は続いて、現実行状態が表示中実行状態として設定されている実行状態と同一であるか否かを確認する（ステップＳＴ６）。
【００４０】
現実行状態が表示中実行状態と同一ではないならばＣＰＵ１１は、表示部２５のメッセージ表示エリア２５ｂに表示するメッセージ（以下、表示メッセージと称する）を、現実行状態に対応するものに変更する（ステップＳＴ７）。なお、各実行状態とメッセージとの関係は例えば図５に示すように定めてこれを示す情報テーブルを情報記憶部１４に記憶させておき、ＣＰＵ１１はこの情報テーブルに基づいて現実行状態に対応するメッセージを判定する。またこれにともなってＣＰＵ１１は、次回以降の装置状態表示処理の際におけるステップＳＴ６での確認のために、表示中実行状態として現実行状態を設定する（ステップＳＴ８）。具体的には例えば、ＲＡＭ１３に表示中実行状態の記憶領域を設定しておき、ここに表示中実行状態として設定した実行状態を示す情報を格納する。
【００４１】
このようにしてステップＳＴ８にて表示中実行状態として現実行状態を設定したのちに、あるいは現実行状態が表示中実行状態と同一であることをステップＳＴ６にて確認した場合にＣＰＵ１１は、これをもって今回の装置状態表示処理を終了する。
【００４２】
このようにして、障害が発生していない状況においては、そのときに起動されている機能に対応したマークがマーク表示エリア２５ａに表示され、またその機能の実行状態に対応したメッセージがメッセージ表示エリアに表示される。具体的には、コピー機能における印刷を行っているときであれば図６（ａ）に示すように、コピー機能に対応したマークがマーク表示エリア２５ａに、また印刷中であることを示す「PRINTING」なるメッセージがメッセージ表示エリア２５ｂにそれぞれ表示される。ファクシミリ機能における印刷を行っているときであれば図６（ｂ）に示すように、ファクシミリ機能に対応したマークがマーク表示エリア２５ａに、また印刷中であることを示す「PRINTING」なるメッセージがメッセージ表示エリア２５ｂにそれぞれ表示される。プリンタ機能における印刷を行っているときであれば図６（ｃ）に示すように、プリンタ機能に対応したマークがマーク表示エリア２５ａに、また印刷中であることを示す「PRINTING」なるメッセージがメッセージ表示エリア２５ｂにそれぞれ表示される。このように、実際の動作状態はいずれも「PRINTING」なるメッセージで表わされる「印刷中」であるが、起動されている機能に応じてそれぞれ異なるマークが表示され、ユーザは各動作状態を正確に把握することが可能である。
【００４３】
一方、障害が発生していることをステップＳＴ１にて確認したのならばＣＰＵ１１は、現在障害が発生している箇所（以下、現障害箇所と称する）およびその障害の内容（以下、現障害内容と称する）を判定する（ステップＳＴ９）。そしてＣＰＵ１１は、ここで判定した現障害箇所が表示中障害箇所として設定されている箇所と同一であるか否かを確認する（ステップＳＴ１０）。
【００４４】
現障害箇所が表示中障害箇所と同一ではないならばＣＰＵ１１は、マーク表示エリア２５ａの表示マークを、現障害箇所に対応するものに変更する（ステップＳＴ１１）。なお、各障害箇所とマークとの関係は例えば図７に示すように定めてこれを示す情報テーブルを情報記憶部１４に記憶させておき、ＣＰＵ１１はこの情報テーブルに基づいて現障害箇所に対応するマークを判定する。またこれにともなってＣＰＵ１１は、次回以降の装置状態表示処理の際におけるステップＳＴ１０での確認のために、表示中障害箇所として現障害箇所を設定する（ステップＳＴ１２）。具体的には例えば、ＲＡＭ１３に表示中障害箇所の記憶領域を設定しておき、ここに表示中障害箇所として設定した障害箇所を示す情報を格納する。
【００４５】
このようにしてステップＳＴ１２にて表示中障害箇所として現障害箇所を設定したのち、あるいは現障害箇所が表示中障害箇所と同一であることをステップＳＴ１０にて確認した場合にＣＰＵ１１は続いて、現障害内容が表示中障害内容として設定されている障害内容と同一であるか否かを確認する（ステップＳＴ１３）。
【００４６】
現障害内容が表示中障害内容と同一ではないならばＣＰＵ１１は、メッセージ表示エリア２５ｂの表示メッセージを、現障害内容に対応するものに変更する（ステップＳＴ１４）。なお、各障害内容とメッセージとの関係は例えば図８に示すように定めてこれを示す情報テーブルを情報記憶部１４に記憶させておき、ＣＰＵ１１はこの情報テーブルに基づいて現障害内容に対応するメッセージを判定する。またこれにともなってＣＰＵ１１は、次回以降の装置状態表示処理の際におけるステップＳＴ１３での確認のために、表示中障害内容として現障害内容を設定する（ステップＳＴ１５）。具体的には例えば、ＲＡＭ１３に表示中障害内容の記憶領域を設定しておき、ここに表示中障害内容として設定した障害内容を示す情報を格納する。
【００４７】
ステップＳＴ８にて表示中障害内容として現障害内容を設定したのちに、あるいは現障害内容が表示中障害内容と同一であることをステップＳＴ１３にて確認した場合にＣＰＵ１１は、これをもって今回の装置状態表示処理を終了する。
【００４８】
このようにして、障害が発生している状況においては、そのときに生じている障害の発生箇所に対応したマークがマーク表示エリア２５ａに表示され、またその障害の内容に対応したメッセージがメッセージ表示エリア２５ｂに表示される。具体的には、本体のオプションメモリにエラーが生じたのであれば図９に示すように、本体に対応した２つのマークがマーク表示エリア２５ａに、またオプションメモリエラーであることを示す「OPTION MEMORY ERROR」なるメッセージがメッセージ表示エリア２５ｂにそれぞれ表示される。このような表示により、障害の発生箇所と障害内容とをユーザが的確に把握することが可能となる。
【００４９】
一方、用紙カセットにて用紙切れが生じた場合や、トナーが残り少なくなった場合には、図１０に示すようにそれらの障害発生を示すマークがマーク表示エリア２５ａに第２マークとして、またそれぞれの障害内容を示す「CASSETTE1 PEPER EMPTY」や「TONER NEAR EMPTY」といったメッセージがメッセージ表示エリア２５ｂにそれぞれ表示される。ここでこれらのエラーに関して本実施形態では第１マークを不定義としている。そしてステップＳＴ１１にて表示マークを変更する際にこのように第１マークが不定義であったならばＣＰＵ１１は、第１マークとしてはそれまでに表示していた第１マークをそのまま継続して表示させる。これにより、例えば上記の用紙切れがコピー機能が起動されている最中に生じたのならば図１０（ａ）に示すような表示がなされる。また例えば上記のトナーの残量減少がプリンタ機能が起動されている最中に生じたのならば図１０（ｂ）に示すような表示がなされる。このような表示により、障害の発生箇所や内容はもちろんのこと、加えてどのような機能の実行中にその障害が生じたのかまでユーザが把握することが可能となる。
【００５０】
以上のように本実施形態によれば、起動中の機能や障害の発生箇所といった報知すべき事項の項目をマークにより表示し、機能の実行状態や障害の内容といった各項目の詳細をメッセージにより表示することとしているので、各種の装置状態を短いメッセージでユーザに把握させることが可能であり、限られた表示領域で効率良く情報の表示が行える。
【００５１】
この実施形態は、次のような種々の変形実施が可能である。
【００５２】
上記実施形態では、図６、図９および図１０に示すような３種類の形態での表示を場合に応じて行うようにしているが、これらの全てを必ず行わなければならないわけではない。
【００５３】
上記実施形態では、１つの表示部２５にマークおよびメッセージをそれぞれ表示させることとしているが、マークとメッセージとをそれぞれ別々の表示器で表示させるようにしても良い。
【００５４】
上記実施形態では、本発明の表示装置をディジタル複合機に適用した例を示しているが、ディジタル複合機以外の機器に適用される表示装置にも本発明の適用が可能である。
【００５５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
１…ディジタル複合機、１１…ＣＰＵ、１２…ＲＯＭ、１３…ＲＡＭ、１４…情報記憶部、１５…画像記憶部、１６…符号化・復号化部、１７…画像読取部、１８…画像印刷部、１９…モデム、２０…ＮＣＵ、２１…電話機制御部、２２…回線信号検出部、２３…ＬＡＮインタフェース、２４…操作部、２５…表示部、２５ａ…マーク表示エリア、２５ｂ…メッセージ表示エリア、２６…システムバス。
【図１】
2010283841.tif 000003
【図２】
2010283841.tif 000004
【図３】
2010283841.tif 000005
【図４】
2010283841.tif 000006
【図５】
2010283841.tif 000007
【図６】
2010283841.tif 000008
【図７】
2010283841.tif 000009
【図８】
2010283841.tif 000010
【図９】
2010283841.tif 000011
【図１０】
2010283841.tif 000012